(57)【要約】  本発明による携帯用飲料容器は、外側面に第１スクリューが形成された円形管形状の締結部；および前記締結部から延び、内部にティーバッグまたは濃縮液が収容される収容部；を含むポーションパックと、前記ポーションパックの前記締結部の内部に引き込まれて配置され、その内側面にミネラルウォーター容器の入口に形成されたスクリューと締結される第２スクリューが形成された内挿部；および前記内挿部の上端から延び、前記ポーションパックの前記締結部に形成された前記第１スクリューと締結される第３スクリューが形成された外挿部；を含む固定キャップと、を含んで達成される。【選択図】  図１
2020511377.tif 000002
【特許請求の範囲】
【請求項１】
外側面に第１スクリューが形成された円形管形状の締結部；および前記締結部から延び、内部にティーバッグまたは濃縮液が収容される収容部；を含むポーションパックと、
前記ポーションパックの前記締結部の内部に引き込まれて配置され、その内側面にミネラルウォーター容器の入口に形成されたスクリューと締結される第２スクリューが形成された内挿部；および前記内挿部の上端から延び、前記ポーションパックの前記締結部に形成された前記第１スクリューと締結される第３スクリューが形成された外挿部；を含む固定キャップとを含み、
前記内挿部は、前記外挿部の内側に配置され、前記第３スクリューが形成された外挿部の一領域および前記第２スクリューが形成された内挿部の一領域が、前記内挿部および前記外挿部の中心を貫通する垂直線Ｖと直交する平面上で重なるように配置されることを特徴とする、携帯用飲料容器。
【請求項２】
前記固定キャップは、前記内挿部の下端に配置されたフィルター部をさらに含むことを特徴とする、請求項１記載の携帯用飲料容器。
【請求項３】
前記固定キャップは、前記第２スクリューが形成された前記内挿部の内側面から離隔し、前記ミネラルウォーター容器の入口の内側に嵌着されるスリーブを含むことを特徴とする請求項１記載の携帯用飲料容器。
【請求項４】
前記ポーションパックは、前記垂直線Ｖを含む少なくとも一つの平面に対して対称となるように形成されることを特徴とする請求項１記載の携帯用飲料容器。
【請求項５】
外側面に第１スクリューが形成された円形管形状の締結部；および前記締結部から延び、内部にティーバッグまたは濃縮液が収容される収容部；を含むポーションパックをミネラルウォーター容器に締結するための固定キャップであって、
前記ポーションパックの前記締結部の内部に引き込まれて配置され、その内側面に前記ミネラルウォーター容器の入口に形成されたスクリューと締結される第２スクリューが形成された内挿部；および
前記内挿部の上端から延び、前記ポーションパックの前記締結部に形成された前記第１スクリューと締結される第３スクリューが形成された外挿部；を含み、
前記内挿部は、前記外挿部の内側に配置され、前記第３スクリューが形成された外挿部の一領域および前記第２スクリューが形成された内挿部の一領域が、前記内挿部および前記外挿部の中心を貫通する垂直線Ｖと直交する平面上で重なるように配置されることを特徴とする、固定キャップ。
【請求項６】
前記内挿部の下端に配置されたフィルター部をさらに含むことを特徴とする請求項５記載の固定キャップ。
【請求項７】
前記第２スクリューが形成された前記内挿部の内側面から離隔し、前記ミネラルウォーター容器の入口の内側に嵌着されるスリーブを含むことを特徴とする請求項５記載の固定キャップ。
【請求項８】
外側面に第１スクリューが形成された円形管形状の締結部；および前記締結部から延び、内部に中空が形成された収容部；を含むポーションパックをミネラルウォーター容器に締結するための固定キャップであって、
前記ポーションパックの前記締結部の内部に引き込まれて配置され、その内側面に前記ミネラルウォーター容器の入口に形成されたスクリューと締結される第２スクリューが形成された内挿部；
前記内挿部の上端から延び、前記ポーションパックの前記締結部に形成された前記第１スクリューと締結される第３スクリューが形成された外挿部；および
前記内挿部の下面に形成され、複数の貫通孔が設けられたフィルター部；を含み、
前記貫通孔の円周上に段差部が形成されることを特徴とする、固定キャップ。
【請求項９】
前記複数の貫通孔に形成された前記段差部は、それぞれの曲率中心方向が互いに異なるように配置されることを特徴とする請求項８記載の固定キャップ。
【請求項１０】
前記複数の貫通孔は、直径が２ｍｍ以上になるように形成されることを特徴とする請求項８記載の固定キャップ。
【請求項１１】
前記内挿部の上端および前記外挿部の上端の間に凹溝が形成されることを特徴とする請求項８記載の固定キャップ。
【請求項１２】
前記内挿部の上端および前記外挿部の上端は、同じ高さで形成されることを特徴とする請求項１１記載の固定キャップ。
【発明の詳細な説明】
【技術分野】
【０００１】
本発明は、水で希釈して飲めるコーヒー、ハーブティーなどが収容されたポーションパックに関する。
【背景技術】
【０００２】
最近、消費者の嗜好に合わせて水で希釈して飲めるコーヒー、ハーブティーが液状で収容されたポーションパックが知られている。通常、ポーションパックは、液状濃縮液を収容してこれを別途の容器に収容された水で希釈して飲用するように構成される。
【０００３】
一方、ポーションパックに収容された液状濃縮液を別途の容器に入れて水で希釈しなければならない不便さがある。そのため、飲用者は、ポーションパックに収容された濃縮液を希釈するための別途の容器を用意しなければならず、また、濃縮液が流れ出て周辺が汚染されるなど使用上の不便さをもたらす。
【０００４】
また、使い捨てポーションパックに収容された濃縮液を飲用するための適切な水の量があるにも関わらず、飲用者が常に適当な水の量を調節することは難しい。特に、薬用成分を有するハーブまたは薬草は、非カフェイン健康材料として脚光を浴びているが、このようなハーブまたは薬草を安全に摂取しかつ効能を示すためには、適切な水の量を飲用者が正確に配合することが必要である。
【発明の概要】
【発明が解決しようとする課題】
【０００５】
本発明は、上述した従来技術の問題点を解決するためのものであって、携帯が簡便であり、一般的に市販されるミネラルウォーターボトルを活用して飲用可能であり、ミネラルウォーター容器と締結した後にひっくり返して配置する場合にも安全に支持され得、これにより、飲用者が液状濃縮液または固形ティーバッグ製品を便利に利用できる携帯用飲料容器を提供することを目的とする。
【０００６】
また、本発明は、ポーションパックに締結可能に考案された固定キャップを提供し、流通中に温度変化に起因して固定キャップの上部を密封するシール材が剥離するのを防止できるポーションパック用固定キャップを提供することを目的とする。
【０００７】
さらに、本発明は、携帯用飲料容器を利用して飲料を飲用するとき、ユーザの便宜性を向上させると共に、特にハーブを利用する場合にも、ポーションパック内部の液体が円滑に流動し得るようにするポーションパック用固定キャップを提供することを目的とする。
【０００８】
本発明の目的は、以上で言及した目的に制限されず、言及されていないさらに他の目的は、下記の記載から明確に理解され得る。
【課題を解決するための手段】
【０００９】
本発明による携帯用飲料容器は、外側面に第１スクリューが形成された円形管形状の締結部；および前記締結部から延び、内部にティーバッグまたは濃縮液が収容される収容部；を含むポーションパックと、前記ポーションパックの前記締結部の内部に引き込まれて配置され、その内側面にミネラルウォーター容器の入口に形成されたスクリューと締結される第２スクリューが形成された内挿部；および前記内挿部の上端から延び、前記ポーションパックの前記締結部に形成された前記第１スクリューと締結される第３スクリューが形成された外挿部；を含む固定キャップとを含んで達成される。ここで、前記内挿部は、前記外挿部の内側に配置され、前記第３スクリューが形成された外挿部の一領域および前記第２スクリューが形成された内挿部の一領域が、前記内挿部および前記外挿部の中心を貫通する垂直線Ｖと直交する平面上で重なるように配置されることを特徴とする。
【００１０】
上述した携帯用飲料容器において、前記固定キャップは、前記内挿部の下端に配置されたフィルター部をさらに含むことができる。また、前記固定キャップは、前記第２スクリューが形成された前記内挿部の内側面から離隔し、前記ミネラルウォーター容器の入口の内側に嵌着されるスリーブを含むことができる。そして、前記ポーションパックは、前記垂直線Ｖを含む少なくとも一つの平面に対して対称となるように形成されることが好ましい。
【００１１】
他の態様において、本発明は、外側面に第１スクリューが形成された円形管形状の締結部；および前記締結部から延び、内部にティーバッグまたは濃縮液が収容される収容部；を含むポーションパックをミネラルウォーター容器に締結するための固定キャップを提供する。
【００１２】
ここで、固定キャップは、前記ポーションパックの前記締結部の内部に引き込まれて配置され、その内側面に前記ミネラルウォーター容器の入口に形成されたスクリューと締結される第２スクリューが形成された内挿部；および前記内挿部の上端から延び、前記ポーションパックの前記締結部に形成された前記第１スクリューと締結される第３スクリューが形成された外挿部；を含み、前記内挿部は、前記外挿部の内側に配置され、前記第３スクリューが形成された外挿部の一領域および前記第２スクリューが形成された内挿部の一領域が、前記内挿部および前記外挿部の中心を貫通する垂直線Ｖと直交する平面上で重なるように配置されることを特徴とする。
【００１３】
上述した固定キャップは、前記内挿部の下端に配置されたフィルター部をさらに含むことができる。また、固定キャップは、前記第２スクリューが形成された前記内挿部の内側面から離隔し、前記ミネラルウォーター容器の入口の内側に嵌着されるスリーブを含むことができる。
【００１４】
本発明によるポーションパック用固定キャップは、外側面に第１スクリューが形成された円形管形状の締結部；および前記締結部から延び、内部に中空が形成された収容部；を含むポーションパックをミネラルウォーター容器に締結するための固定キャップであって、前記ポーションパックの前記締結部の内部に引き込まれて配置され、その内側面に前記ミネラルウォーター容器の入口に形成されたスクリューと締結される第２スクリューが形成された内挿部；前記内挿部の上端から延び、前記ポーションパックの前記締結部に形成された前記第１スクリューと締結される第３スクリューが形成された外挿部；および前記内挿部の下面に形成され、複数の貫通孔が設けられたフィルター部；を含み、前記貫通孔の円周上に段差部が形成されることを特徴とする。
【００１５】
ここで、前記複数の貫通孔に形成された前記段差部は、それぞれの曲率中心方向が互いに異なるように交互に配置されることが好ましい。
【００１６】
また、前記複数の貫通孔は、直径が２ｍｍ以上になるように形成されることがより好ましい。
【００１７】
さらに、前記内挿部の上端および前記外挿部の上端の間に凹溝が形成されることが好ましい。
【００１８】
なお、前記内挿部の上端および前記外挿部の上端は、同じ高さで形成され得る。
【発明の効果】
【００１９】
本発明による携帯用飲料容器は、市販されていて容易に手に入れることができる使い捨てミネラルウォーターボトルを利用して、多様なハーブおよび薬草を希釈して飲用するのに便利である。特に、本発明によるポーションパックは、各種ハーブおよび薬草に適切な容量の液体を収容することができるように製造され得るので、飲用者が当該ハーブおよび薬草の効能を飲用するのに適切な量の水を容易に調節して使用することができる。また、本発明による固定キャップを利用する場合、ポーションパックを使い捨てミネラルウォーター容器と締結した後にひっくり返して配置しても、構造的に安定した状態を維持することができるので、収容部に収容されたティーバッグおよび濃縮液をより便利に希釈して飲用することができる。
【図面の簡単な説明】
【００２０】
【図１】本発明の一実施形態による携帯用飲料容器をミネラルウォーター容器と締結した状態を示す断面図である。
【図２】本発明による固定キャップの断面図である。
【図３】本発明の他の実施形態による固定キャップの切開図である。
【図４】本発明のさらに他の実施形態による固定キャップの下面を示す斜視図である。
【図５】本発明による携帯用飲料容器の一例を示す概要図である。
【発明を実施するための形態】
【００２１】
本発明による携帯用飲料容器は、外側面に第１スクリューが形成された円形管形状の締結部；および前記締結部から延び、内部にティーバッグまたは濃縮液が収容される収容部；を含むポーションパックと、前記ポーションパックの前記締結部の内部に引き込まれて配置され、その内側面にミネラルウォーター容器の入口に形成されたスクリューと締結される第２スクリューが形成された内挿部；および前記内挿部の上端から延び、前記ポーションパックの前記締結部に形成された前記第１スクリューと締結される第３スクリューが形成された外挿部；を含む固定キャップとを含んで達成される。ここで、前記内挿部は、前記外挿部の内側に配置され、前記第３スクリューが形成された外挿部の一領域および前記第２スクリューが形成された内挿部の一領域が、前記内挿部および前記外挿部の中心を貫通する垂直線Ｖと直交する平面上で重なるように配置されることを特徴とする。
【００２２】
上述した携帯用飲料容器において、前記固定キャップは、前記内挿部の下端に配置されたフィルター部をさらに含むことができる。なお、前記固定キャップは、前記第２スクリューが形成された前記内挿部の内側面から離隔し、前記ミネラルウォーター容器の入口の内側に嵌着されるスリーブを含むことができる。そして、前記ポーションパックは、前記垂直線Ｖを含む少なくとも一つの平面に対して対称となるように形成されることが好ましい。
【００２３】
他の態様において、本発明は、外側面に第１スクリューが形成された円形管形状の締結部；および前記締結部から延び、内部にティーバッグまたは濃縮液が収容される収容部；を含むポーションパックをミネラルウォーター容器に締結するための固定キャップを提供する。
【００２４】
ここで、固定キャップは、前記ポーションパックの前記締結部の内部に引き込まれて配置され、その内側面に前記ミネラルウォーター容器の入口に形成されたスクリューと締結される第２スクリューが形成された内挿部；および前記内挿部の上端から延び、前記ポーションパックの前記締結部に形成された前記第１スクリューと締結される第３スクリューが形成された外挿部；を含み、前記内挿部は、前記外挿部の内側に配置され、前記第３スクリューが形成された外挿部の一領域および前記第２スクリューが形成された内挿部の一領域が、前記内挿部および前記外挿部の中心を貫通する垂直線Ｖと直交する平面上で重なるように配置されることを特徴とする。
【００２５】
上述した固定キャップは、前記内挿部の下端に配置されたフィルター部をさらに含むことができる。また、固定キャップは、前記第２スクリューが形成された前記内挿部の内側面から離隔し、前記ミネラルウォーター容器の入口の内側に嵌着されるスリーブを含むことができる。
【００２６】
本発明によるポーションパック用固定キャップは、外側面に第１スクリューが形成された円形管形状の締結部；および前記締結部から延び、内部に中空が形成された収容部；を含むポーションパックをミネラルウォーター容器に締結するための固定キャップであって、前記ポーションパックの前記締結部の内部に引き込まれて配置され、その内側面に前記ミネラルウォーター容器の入口に形成されたスクリューと締結される第２スクリューが形成された内挿部；前記内挿部の上端から延び、前記ポーションパックの前記締結部に形成された前記第１スクリューと締結される第３スクリューが形成された外挿部；および前記内挿部の下面に形成され、複数の貫通孔が設けられたフィルター部；を含み、前記貫通孔の円周上に段差部が形成されることを特徴とする。
【００２７】
ここで、前記複数の貫通孔に形成された前記段差部は、それぞれの曲率中心方向が互いに異なるように交互に配置されることが好ましい。
【００２８】
また、前記複数の貫通孔は、直径が２ｍｍ以上になるように形成されることがより好ましい。
【００２９】
さらに、前記内挿部の上端および前記外挿部の上端の間に凹溝が形成されることが好ましい。
【００３０】
なお、前記内挿部の上端および前記外挿部の上端は、同じ高さで形成され得る。
【００３１】
本発明は、多様な変更を加えることができ、様々な実施形態を有することができるところ、特定の実施形態を図面に例示し、これを詳細な説明を通じて詳細に説明しようとする。しかしながら、これは、本発明を特定の実施形態に対して限定しようとするものではなく、本発明の思想および技術範囲に含まれるすべての変更、均等物ないし代替物を含むものと理解すべきである。なお、本発明を説明するに際して、関連した公知技術に関する具体的な説明が本発明の要旨を不明にすることができると判断される場合、その詳細な説明を省略する。
【００３２】
まず、図１から分かるように、本発明による携帯用飲料容器は、ポーションパック１００および固定キャップ３００を含んで構成され得る。
【００３３】
ここで、ポーションパック１００は、締結部１０および収容部２０を含んで構成され得る。締結部１０は、その外壁面に第１スクリュー１１が形成された、断面が円形である管形状を有し、後述する固定キャップ３００を介してミネラルウォーター容器２００と締結される。そして、収容部２０は、その内部にティーバッグまたは濃縮液が収容され得る空間を形成する。収容部２０は、締結部１０の直径より大きい直径を有するように形成されるが、好ましくは、締結部１０から延び、底に行くほど直径が増加する形状を有する。特に、ポーションパック１００は、大量生産のためにブローモールディング（ＢＬＯＷ  ＭＯＬＤＩＮＧ）方法で製造され得る。ブローモールディング法は、押出または射出によりチューブ状に予備成形した後、これを金型に挟持して内部に空気を吹き付けて膨らませた後、冷却固化させて、特定の形態の固形物を製造する方法をいう。本発明によるポーションパック１００は、ブローモールディング法により製造した後、締結部１０の外側面に第１スクリュー１１を形成することによって製造され得る。このようにブローモールディング法によりポーションパック１００を製造する場合、製品の生産速度および生産コストを低減することができるが、一般的な射出成形を利用する場合には、ポーションパック１００の内面にスクリューを形成しなければならないので、製品の生産速度が低下し、生産コストが大幅に増加する。
【００３４】
一方、本発明による固定キャップ３００は、図１および図２から分かるように、ポーションパック１００の締結部１０の内部に引き込まれて配置され、その内側面にミネラルウォーター容器２００の入口に形成されたスクリュー２０１と締結される第２スクリュー３１１が形成された内挿部３１０と、該内挿部３１０の上端から延び、ポーションパック１００の締結部１０に形成された第１スクリュー１１と締結される第３スクリュー３２１が形成された外挿部３２０とを含んで構成される。ここで、内挿部３１０は、ミネラルウォーター容器２００の入口の外径に嵌着され得る寸法の内径を有する、断面が円形である管形状に形成される。該内挿部３１０の上端から延びた外挿部３２０は、内部に内挿部３１０が配置されるように形成され、ポーションパック１００の締結部１０が嵌着され得る寸法の内径を有するように、断面が円形である管形状に形成される。
【００３５】
本発明による携帯用飲料容器を使用する場合、図１から分かるように、まず、ポーションパック１００の締結部１０に形成された第１スクリュー１１を固定キャップ３００の外挿部３２０に形成された第３スクリュー３２１に締結する。この際、外挿部３２０および内挿部３１０は、第３スクリュー３２１が形成された外挿部３２０の一領域および第２スクリュー３１１が形成された内挿部３１０の一領域が、内挿部３１０および外挿部３２０の中心を貫通する垂直線Ｖと直交する平面上で（すなわち、側面から見るとき）重なるように配置されている。特に、外挿部３２０と内挿部３１０との間には、ポーションパック１００の締結部１０が挿入されて、第１スクリュー１１および第３スクリュー３２１の締結により堅固に固定される。
【００３６】
その後、固定キャップ３００の内挿部３１０に設けられた第２スクリュー３１１をミネラルウォーター容器２００の入口に設けられたスクリュー２０１に締結する。この際、ミネラルウォーター容器２００の入口の内側には、スリーブ３４０が嵌着されて堅固に固定される。スリーブ３４０は、第２スクリュー３１１が形成された前記内挿部の内側面から離隔して形成され得る。スリーブ３４０により、固定キャップ３００およびミネラルウォーター容器２００がより堅固に締結され得る。また、スリーブ３４０は、ミネラルウォーター容器２００の入口の内側に挿入されて配置されるので、固定キャップ３００を介して相互締結されたポーションパック１００およびミネラルウォーター容器２００を図１のようにひっくり返して配置するとき、ミネラルウォーター容器２００に入れたミネラルウォーター（不図示）が締結部１０を介して収容部２０に流入するように案内される。
【００３７】
一方、一般的なミネラルウォーター容器２００の入口に形成されたスクリュー２０１は、右ねじで形成されているので、内挿部３１０に形成された第２スクリュー３１１は、スクリュー２０１に締結可能な雌ねじで形成されることが好ましい。なお、ポーションパック１００の締結部１０に形成された第１スクリュー１１も、右ねじで形成され得、外挿部３２０に形成された第３スクリュー３２１は、第１スクリュー１１と締結可能な雌ねじで形成されることが好ましい。第２スクリュー３１１および第３スクリュー３２１を全部右ねじで形成すると、固定キャップ３００の外挿部３２０を先にポーションパック１００に締結した後、さらに固定キャップ３００の内挿部３１０をミネラルウォーター容器２００に締結する過程が円滑に行われ得る。
【００３８】
図１から分かるように、ポーションパック１００、固定キャップ３００およびミネラルウォーター容器２００を締結した状態で、ポーションパック１００が下方に配置されるようにひっくり返すと、ミネラルウォーター容器２００に収容されたミネラルウォーターが締結部１０を経て収容部２０の内部に流入する。これにより、収容部２０の内部に配置されたティーバッグまたは濃縮液が水で希釈される。このように使用する場合、飲用者は、ティーバッグまたは濃縮液が十分に希釈されるように、図１のような状態で相当時間維持することになるが、ポーションパック１００の底部３０は、ミネラルウォーター容器２００がひっくり返して配置された状態が安全に維持され得るように、十分な直径を有するように形成され得る。また、収容部２０は、その直径Ｄ２が締結部１０側の直径Ｄ１よりさらに大きく形成されているので、締結部１０側より収容部２０側にさらに多い量の液体が存在することになって、重心が収容部２０側にくることになる。したがって、ミネラルウォーター容器２００をひっくり返して配置された状態が安全に維持され得る。この際、収容部２０の直径Ｄ２は、締結部１０から底部３０に行くほど徐々に増加する形状に製造され得、この場合、収容部２０の外郭が傾斜を成すように形成されるので、濃縮液がミネラルウォーター容器２００側に流れる液体の流れ性が向上することができる。
【００３９】
なお、本発明による固定キャップ３００を使用する場合、ミネラルウォーター容器２００をひっくり返して配置された状態がより安全に維持され得る。すなわち、ポーションパック１００と締結される外挿部３２０およびミネラルウォーター容器２００と締結される内挿部３１０が垂直線Ｖと直交する平面上で重なるように配置されているので、全体容器の重心が低くなる。
【００４０】
また、ミネラルウォーター容器２００に締結されたポーションパック１００をひっくり返して配置（すなわち、ポーションパック１００が下方にくるように配置）する場合、全体容器の配置状態をバランスよく維持するために、ポーションパック１００は、垂直線Ｖを含む少なくとも一つの平面に対して対称となるように形成されることが好ましい。
【００４１】
一方、本発明による固定キャップ３００は、内挿部３１０の下端に配置されたフィルター部３３０をさらに含むことができる。フィルター部３３０は、ポーションパック１００に収容されたティーバッグまたは濃縮液の固状物質がミネラルウォーター容器２００の内部に流入しないようにし、また、ミネラルウォーター容器２００に収容された異物がポーションパック１００の内部に流入しないようにする。ただし、液状のミネラルウォーター、濃縮液、または希釈液は、フィルター部３３０を経由して反対側に流入可能であることが好ましい。
【００４２】
なお、ポーションパック１００の底部３０には、互いに異なるポーションパックが互いに積層され得るように係合溝３１が形成されることが好ましい。この際、係合溝３１は、他のポーションパックの締結部の上端の外径または固定キャップ３００の外挿部３２０の外径とほぼ一致する内径を有するように形成され得る。係合溝３１を利用すると、固定キャップ３００が締結された状態または固定キャップが締結されていない状態の複数のポーションパックが積層されて配置され得る。
【００４３】
上述した携帯用飲料容器を使用すると、下記のような利点がある。
【００４４】
第一に、多様なハーブおよび薬草成分に応じて収容部の容量を選択してポーションパックを製造することができるので、飲用者は、本発明によるポーションパック１００に合わせて水を注いで使用することによって、適切量の水を容易に調節することができる。
【００４５】
第二に、本発明による携帯用飲料容器は、市販されていて容易に手に入れることができる使い捨てミネラルウォーター容器と締結して使用することができるので、飲用者が別途の容器を用意する必要がなく、本発明による飲料容器だけを携帯しつつ使用することができる。
【００４６】
第三に、本発明による携帯用飲料容器は、ミネラルウォーターボトルと締結されて栓として使用することもでき、また、飲料を分けて飲むカップ用途にも使用することもできる。特に、ミネラルウォーターボトルと締結された状態でひっくり返して配置する場合、ミネラルウォーターボトルの重さを十分に支えることができるように設計されており、ひっくり返して配置された全体容器の重心が低く設計されていて、より安全に使用することができる。
【００４７】
第四に、本発明による携帯用飲料容器を構成するポーションパックは、一般射出または押出によらず、ブローモールディングを利用することができるように設計されているので、製品の生産工程がより簡便であり、その製造コストをさらに低減することができる。
【００４８】
次に、図３〜図５を参照して、他の実施形態による携帯用飲料容器を構成するポーションパックおよびこれに使用される固定キャップを説明する。
【００４９】
図５から分かるように、本発明による携帯用飲料容器は、締結部１０および収容部２０が設けられたポーションパック１００と、ミネラルウォーター容器と締結して使用可能な固定キャップ３００と、固定キャップ３００の上部を密閉するカバー４００とから構成され得る。ここで、カバー４００は、図３から分かるように、外挿部３２０の上端３２０ａの周辺に側方向に突出して形成された係止部３２０ｂに締結され得る。
【００５０】
一方、収容部２０内には、ハーブ、ティーバッグ、濃縮液などが収容された状態で流通するので、収容部２０に入れた内容物が流出しないように固定キャップ３００の上端を別途のシール材３５０で仕上げることが好ましい。この際、製造過程あるいは流通中に温度変化に応じてシール材３５０または固定キャップ３００が収縮および膨張することによって剥離することができる。そのため、収容部２０に入れた内容物が流出することができる。これを防止するために、固定キャップ３００の上部でシール材３５０が接着される部位に空間部を形成することが好ましい。
【００５１】
具体的に、シール材３５０の密封が解除されるのを防止するために、内挿部の上端３１０ａおよび外挿部の上端３２０ａにそれぞれシール材３５０を二重で接着する。シール材３５０が均一に接着されるように、内挿部の上端３１０ａおよび外挿部の上端３２０ａを同じ高さで形成する。そして、内挿部の上端３１０ａおよび外挿部の上端３２０ａの間には凹溝Ｇを形成する。凹溝Ｇは、固定キャップ３００の上部面の円周に沿って円形の帯形態で形成され得る。このように凹溝Ｇを形成すると、温度変化に応じたシール材３５０の収縮または膨張により密封が解除されるのを効果的に防止することができる。
【００５２】
また、本発明による飲料容器を使用する場合、ミネラルウォーター容器２００およびポーションパック１００の間に液体が流動するようにするために、内挿部３１０の下面に形成されたフィルター部３３０に複数の貫通孔３３１が設けられる。この際、ミネラルウォーター容器２００を固定キャップ３００に締結すると、ポーションパック１００およびミネラルウォーター容器２００が連結された内部空間が密封状態になるが、貫通孔３３１の直径が２ｍｍ以上になる場合、液体がポーションパック１００あるいはミネラルウォーター容器２００側に円滑に流動し得る。また、液体の流動量を最大とするために、与えられた面積に貫通孔３３１の個数を最大に形成することが好ましい。すなわち、図４から分かるように、複数の貫通孔３３１を六方密集構造で配置することが好ましい。特に、複数の貫通孔３３１を六方密集構造で配置すると、ユーザがポーションパック１００内部の飲料を飲用するとき、すべての方向に均一に液体が流れ出るようにすることができる。
【００５３】
一方、収容部２０には、ハーブが収容され得るが、フィルター部３３０に形成された貫通孔３３１がハーブにより詰まって液体の流動を阻害することができる。これを防止するために、貫通孔３３１の周辺に円弧形状の段差部３３２が設けられる。段差部３３２は、貫通孔３３１の周りに形成されるが、略１８０度以下の円弧の長さで形成され、内挿部３１０が下面から所定の高さで外側に突出して形成されることが好ましい。段差部３３２を形成すると、ハーブが貫通孔３３１の周辺に付着しても、段差部３３２の高さにより隙間が維持され得るので、貫通孔３３１が完全に詰まるのを防止する。特に、隣り合う複数の貫通孔３３１にそれぞれ形成された段差部３３２は、それぞれの曲率中心方向が互いに異なるように交互に配置されることがより効果的である。すなわち、図４から分かるように、段差部３３２の配向が互いにずれるように配置することによって、隣り合う貫通孔３３１の間にハーブが付着しても、貫通孔３３１を完全に密閉しないようにする。
【００５４】
以上、本発明の好ましい実施形態について説明したが、本発明の属する技術分野における通常の知識を有する者は、本発明の本質的な特性を逸脱しない範囲内で変形された形態に具現することができる。したがって、ここで説明した本発明の実施形態は、限定的な観点でなく、説明的な観点で考慮されなければならず、本発明の範囲は、上述した説明でなく、請求範囲に示されており、それと同等な範囲内にあるすべての差異点は、本発明に含まれるものと解すべきである。
【図１】
2020511377.tif 000003
【図２】
2020511377.tif 000004
【図３】
2020511377.tif 000005
【図４】
2020511377.tif 000006
【図５】
2020511377.tif 000007
【国際調査報告】
2020511377.tif 000008
2020511377.tif 000009
2020511377.tif 000010
2020511377.tif 000011